(57)【要約】【課題】消費電力の低減および仕上がり感の向上を図りながら、環境に合わせた必要十分な乾燥効果が得られる省エネルギー性および信頼性にすぐれた浴室換気乾燥機を提供する。【解決手段】設定される運転時間Ｔｘ内で、初めに温風乾燥を一定時間Ｔ１行い、次に送風乾燥を所定時間Ｔ３行い、最後に温風乾燥を所定時間Ｔ２行う。脱衣室２内の空気の温度と湿度に応じて温風必要運転時間Ｔｈおよび送風必要運転時間Ｔｃを求め、上記所定時間Ｔ３,Ｔ２を、運転時間Ｔｘ、一定時間Ｔ１、温風必要運転時間Ｔｈ、送風必要運転時間Ｔｃの関係に基づき所定時間Ｔ２が必要最小限となる条件で、設定する。【選択図】  図１
2011000228.tif 000002
【特許請求の範囲】
【請求項１】
浴室を換気する換気手段と、
前記浴室内の空気を循環させる循環手段と、
前記浴室内の循環空気を加熱する加熱手段と、
温度および湿度を検出する検出手段と、
衣類乾燥運転の運転時間Ｔｘを設定するための操作手段と、
この操作手段で設定される運転時間Ｔｘ内で、初めに前記循環手段および前記加熱手段による温風乾燥を一定時間Ｔ１行い、次に前記循環手段のみによる送風乾燥を所定時間Ｔ３行い、最後に前記循環手段および前記加熱手段による温風乾燥を所定時間Ｔ２行う第１制御手段と、
前記検出手段で検出される温度と湿度に応じて、前記浴室内の衣類を前記温風乾燥のみで乾燥させるために必要な温風必要運転時間Ｔｈ、および同衣類を前記送風乾燥のみで乾燥させるために必要な送風必要運転時間Ｔｃを求める第２制御手段と、
前記第１制御手段による送風乾燥の所定時間Ｔ３および温風乾燥の所定時間Ｔ２を、前記操作手段で設定される運転時間Ｔｘ、前記第１制御手段による温風乾燥の一定時間Ｔ１、および前記第２制御手段で求められる温風必要運転時間Ｔｈと送風必要運転時間Ｔｃの関係に基づき前記温風乾燥の所定時間Ｔ２が必要最小限となる条件で、設定する第３制御手段と、
を備えることを特徴とする浴室換気乾燥機。
【請求項２】
前記検出手段は、前記浴室に隣接する脱衣室の空気の温度および湿度を検出することを特徴とする請求項１記載の浴室換気乾燥機。
【請求項３】
前記温風必要運転時間Ｔｈおよび前記送風必要運転時間Ｔｃを前記浴室外の空気の温度および湿度に対応付けて記憶した記憶手段、をさらに備え、
前記第２制御手段は、前記検出手段で検出される温度および湿度に対応する温風必要運転時間Ｔｈおよび送風必要運転時間Ｔｃを前記記憶手段から読出し、
前記第３制御手段は、前記第１制御手段による送風乾燥の所定時間Ｔ３および温風乾燥の所定時間Ｔ２を、前記操作手段で設定される運転時間Ｔｘ、前記第１制御手段による温風乾燥の一定時間Ｔ１、および前記第２制御手段で読出される温風必要運転時間Ｔｈと送風必要運転時間Ｔｃの関係を表わす“Ｔｘ＝Ｔ１＋Ｔ３＋Ｔ２”および“Ｔ３＝（Ｔｈ−Ｔ１−Ｔ２）×（Ｔｃ／Ｔｈ）”に基づき温風乾燥の所定時間Ｔ２が必要最小限となる条件で、設定する、
ことを特徴とする請求項１記載の浴室換気乾燥機。
【請求項４】
前記第２制御手段は、前記第１制御手段による送風乾燥を行っているとき、前記検出手段で検出される温度および湿度に対応する温風必要運転時間Ｔｈおよび送風必要運転時間Ｔｃを前記記憶手段から逐次に読出し、
前記第３制御手段は、前記第１制御手段による送風乾燥を行っているとき、その送風乾燥の所定時間Ｔ３および温風乾燥の所定時間Ｔ２を、前記操作手段で設定される運転時間Ｔｘ、前記第１制御手段による温風乾燥の一定時間Ｔ１、および前記第２制御手段で読出される温風必要運転時間Ｔｈと送風必要運転時間Ｔｃの関係を表わす“Ｔｘ＝Ｔ１＋Ｔ３＋Ｔ２”および“Ｔ３＝（Ｔｈ−Ｔ１−Ｔ２）×（Ｔｃ／Ｔｈ）”に基づき温風乾燥の所定時間Ｔ２が必要最小限となる条件で、逐次に設定する、
ことを特徴とする請求項１記載の浴室換気乾燥機。
【請求項５】
前記操作手段で設定される運転時間Ｔｘが、前記第２制御手段で求められる温風必要運転時間Ｔｈ未満のとき、前記第３制御手段により設定される温風乾燥の所定時間Ｔ２が、その温風必要運転時間Ｔｈから前記第１制御手段による温風乾燥の一定時間Ｔ１を減じた時間となるように、前記操作手段で設定される運転時間Ｔｘを変更する第４制御手段、
をさらに備えることを特徴とする請求項１記載の浴室換気乾燥機。
【請求項６】
前記第４制御手段による運転時間Ｔｘの変更を報知する報知手段、をさらに備えることを特徴とする請求項５記載の浴室換気乾燥機。
【請求項７】
乾燥対象の衣料の重量を設定するための操作手段、をさらに備え、
前記第２制御手段は、前記設定される重量と前記検出手段で検出される温度および湿度に応じて、前記浴室内の衣類を前記温風乾燥で乾燥させるために必要な温風必要運転時間Ｔｈ、および同衣類を前記送風乾燥で乾燥させるために必要な送風必要運転時間Ｔｃを求める、
ことを特徴とする請求項１記載の浴室換気乾燥機。
【請求項８】
前記検出手段は、前記浴室内の空気の温度および湿度を検出し、
前記第２制御手段は、運転開始から所定時間後に前記検出手段で検出される温度と同検出手段で検出される湿度の変化速度に対応する衣類乾燥指数を求め、この衣類乾燥指数に応じて、前記浴室内の衣類を前記温風乾燥で乾燥させるために必要な温風必要運転時間Ｔｈ、および同衣類を前記送風乾燥で乾燥させるために必要な送風必要運転時間Ｔｃを求める、
ことを特徴とする請求項１記載の浴室換気乾燥機。
【請求項９】
前記検出手段は、前記浴室内の空気の温度および湿度を検出し、
前記第２制御手段は、運転開始から所定時間後に前記検出手段で検出される温度と湿度およびその湿度の変化速度に対応する衣類乾燥指数を求め、この衣類乾燥指数に応じて、前記浴室内の衣類を前記温風乾燥で乾燥させるために必要な温風必要運転時間Ｔｈ、および同衣類を前記送風乾燥で乾燥させるために必要な送風必要運転時間Ｔｃを求める、
ことを特徴とする請求項１記載の浴室換気乾燥機。
【請求項１０】
前記検出手段は、前記浴室に隣接する脱衣室の空気の温度および湿度を検出する第１検出手段と、前記浴室内の空気の温度および湿度を検出する第２検出手段とを含み、
前記第２制御手段は、運転開始から所定時間後、前記第１検出手段で検出される温度と湿度からその第１検出手段の付近の比エンタルピーを求めるとともに、前記第２検出手段で検出される温度と湿度からその第２検出手段の近傍の絶対湿度を求め、これら比エンタルピーおよび絶対湿度に対応する衣類乾燥指数を求め、この衣類乾燥指数に応じて、前記浴室内の衣類を前記温風乾燥で乾燥させるために必要な温風必要運転時間Ｔｈ、および同衣類を前記送風乾燥で乾燥させるために必要な送風必要運転時間Ｔｃを求める、
ことを特徴とする請求項１記載の浴室換気乾燥機。
【発明の詳細な説明】
【技術分野】
【０００１】
この発明は、浴室内の衣類を乾燥させる浴室換気乾燥機に関する。
【背景技術】
【０００２】
浴室の天井等に取り付けられ、浴室内に吊り下げられた衣類を乾燥させる浴室換気乾燥機が知られている。この浴室換気乾燥機による運転の例として、衣類の重量を目安にしてユーザによって設定されるｔ１時間にわたり送風機を連続的に動作させ、そのｔ１時間における初めのｔ２時間と最後のｔ３時間においてそれぞれ加熱手段を動作させる乾燥運転がある（例えば特許文献１）。この乾燥運転によれば、加熱動作が初めのｔ２時間と最後のｔ３時間だけ行われるので消費電力の低減が図れるとともに、最後の加熱動作によって衣類をふっくらと仕上げることができる。
【０００３】
また、初期設定されるＺ時間において、浴室内の温度に応じて定まるＸ時間の温風運転を行い、残りのＹ時間は送風のみ継続する換気乾燥機がある（例えば特許文献２）。
【０００４】
さらに、浴室のかびを防ぐため、浴室に隣接する洗面室の温度および湿度に応じて、換気強・換気弱・温風のそれぞれの運転時間を切換えるようにした乾燥機もある（例えば特許文献３）。
【先行技術文献】
【特許文献】
【０００５】
【特許文献１】特許第３１１０６３２号公報
【特許文献２】特開２００２−６２０４９号公報
【特許文献３】特開２００５−３７１１０号公報
【発明の概要】
【発明が解決しようとする課題】
【０００６】
衣類の重量を目安に設定されるｔ１時間内で加熱手段をｔ２時間およびｔ３時間だけ動作させる乾燥運転は、消費電力の低減と仕上がり感の確保が主な目的であり、環境によっては十分な乾燥効果が得られないことがある。
【０００７】
初期設定のＺ時間内で浴室内の温度に応じたＸ時間の温風運転を行う乾燥機の場合、Ｚ時間が長く設定されると、消費電力が増大するという問題がある。
【０００８】
換気強・換気弱・温風のそれぞれの運転時間を温湿度に応じて切換える乾燥機は、浴室内のかびを防ぐことが目的であり、衣類の乾燥については十分な効果が得られない。
【０００９】
この発明は、上記の事情を考慮したもので、その目的は、消費電力の低減および仕上がり感の向上を図りながら、環境に合わせた必要十分な乾燥効果が得られる省エネルギー性および信頼性にすぐれた浴室換気乾燥機を提供することである。
【課題を解決するための手段】
【００１０】
請求項１に係る発明浴室換気乾燥機は、浴室を換気する換気手段と、前記浴室内の空気を循環させる循環手段と、前記浴室内の循環空気を加熱する加熱手段と、前記浴室外の空気の温度および湿度を検出する検出手段と、衣類乾燥運転の運転時間Ｔｘを設定するための操作手段と、この操作手段で設定される運転時間Ｔｘ内で、初めに前記循環手段および前記加熱手段による温風乾燥を一定時間Ｔ１行い、次に前記循環手段のみによる送風乾燥を所定時間Ｔ３行い、最後に前記循環手段および前記加熱手段による温風乾燥を所定時間Ｔ２行う第１制御手段と、前記検出手段で検出される温度および湿度に応じて、前記浴室内の衣類を前記温風乾燥のみで乾燥させるために必要な温風必要運転時間Ｔｈ、および同衣類を前記送風乾燥のみで乾燥させるために必要な送風必要運転時間Ｔｃを求める第２制御手段と、前記第１制御手段による送風乾燥の所定時間Ｔ３および温風乾燥の所定時間Ｔ２を、前記操作手段で設定される運転時間Ｔｘ、前記第１制御手段による温風乾燥の一定時間Ｔ１、および前記第２制御手段で求められる温風必要運転時間Ｔｈと送風必要運転時間Ｔｃの関係に基づき前記温風乾燥の所定時間Ｔ２が必要最小限となる条件で、設定する第３制御手段と、を備える。
【発明の効果】
【００１１】
この発明の浴室換気乾燥機によれば、消費電力の低減および仕上がり感の向上を図りながら、環境に合わせた必要十分な乾燥効果を得ることができ、省エネルギー性および信頼性が向上する。
【図面の簡単な説明】
【００１２】
【図１】この発明の各実施形態の全体の構成を示す図。
【図２】各実施形態のリモコンの構成を示す図。
【図３】各実施形態の制御回路のブロック図。
【図４】第１の実施形態における衣類重量２kg用の必要運転時間設定テーブルを示す図。
【図５】第１の実施形態における衣類重量３kg用の必要運転時間設定テーブルを示す図。
【図６】第１の実施形態における衣類重量５kg用の必要運転時間設定テーブルを示す図。
【図７】各実施形態における衣類乾燥運転の温風乾燥、送風乾燥、温風乾燥の移行およびそれぞれの実行時間を示すタイムチャート。
【図８】第１の実施形態の作用を説明するためのフローチャート。
【図９】第２の実施形態における衣類乾燥運転時の湿度変化を示す図。
【図１０】第２の実施形態の衣類乾燥指数テーブルを示す図。
【図１１】第３の実施形態の衣類乾燥指数テーブルを示す図。
【図１２】第４の実施形態の衣類乾燥指数選定条件を示す図。
【発明を実施するための形態】
【００１３】
［１］第１の実施形態  
以下、この発明の第１の実施形態について図面を参照して説明する。  
図１に示すように、浴室１に隣接して脱衣室２が設けられ、その浴室１と脱衣室２とが扉３で仕切られている。扉３の下部には通気口３ａが形成され、脱衣室２内の空気がこの通気口３ａを通して浴室１内に流入する。また、浴室１内には浴槽４が設けられるとともに、衣類を吊り下げるための吊下げ棒５が設けられている。
【００１４】
浴室１の天井面１ａの裏側に、浴室換気乾燥機１０が設けられている。浴室換気乾燥機１０は、天井面１ａを通して浴室１内の空間に臨む通気パネル１１、この通気パネル１１を通した吸込み空気の流路に設けられた吸気量調節用のダンパ１２、脱衣室２の天井面２ａを通して脱衣室２内の空間に臨む通気パネル１３、この通気パネル１３を通して吸込まれる空気を本体に導くダクト１４、循環ユニット２０、換気ユニット３０、この換気ユニット３０から室外空間に通じる排気ダクト１５、および制御部４０などを備える。
【００１５】
循環ユニット２０は、循環ファン（循環手段）２１および電気ヒータ（加熱手段）２２を有し、循環ファン２１の動作により浴室１内の空気を通気パネル１１およびダンパ１２を通して循環させながら、その循環空気を電気ヒータ２２の発熱により加熱して通気パネル１１に設けられた吹出口から温風を吹き出させる。換気ユニット３０は、換気ファン３１を有し、天井面１ａの裏側空間の空気や通気パネル１１，１３からの吸込み空気を換気ファン３１の動作によりダクト１５を通して室外に放出する。
【００１６】
また、脱衣室２の壁面に、リモートコントロール式の操作器（操作手段；以下リモコンという）５０が設けられている。このリモコン５０は、図２に示すように、時間／重量／温度などの数値を表示する表示部５１、温風乾燥運転の運転時間Ｔｘの変更を報知するための発光ダイオード５１ａ、運転開始までの時間を設定するための入タイマ釦５２、この入タイマ釦５２の操作による時間設定の有無を報知する発光ダイオード５２ａ、運転終了までの時間を設定するための切タイマ釦５３、この切タイマ釦５３の操作による時間設定の有無を報知する発光ダイオード５３ａ、乾燥対象の衣類の重量を設定するための衣類重量釦５４、脱衣室２の空気の温度および湿度を検出する温湿度検出部（第１検出手段）５５、表示部５１の数値表示を増加させるためのアップ釦５６ａ、表示部５１の数値表示を減少させるためのダウン釦５６ｂ、乾燥運転を設定するための乾燥釦５７、換気運転を設定するための換気釦５８、暖房運転を設定するための暖房釦５９、運転停止を指示するための停止釦６０などを備える。
【００１７】
このリモコン５０が上記制御部４０に接続される。制御部４０は、ＣＰＵ４１、メモリ４２、タイマ４３、換気駆動部４４、循環駆動部４５、および加熱駆動部４６を有する。換気駆動部４４は、ＣＰＵ４１の指令に応じて換気ファン３１を駆動する。循環駆動部４５は、ＣＰＵ４１の指令に応じて循環ファン２１を駆動する。加熱駆動部４６は、ＣＰＵ４１の指令に応じて電気ヒータ２２を駆動する。
【００１８】
メモリ４２は、制御プログラムおよび各種データを記憶している。このメモリ４２内のデータの一部として、図４、図５、図６に示す衣類重量２kg用、３kg用、５kg用の３つの必要運転時間設定テーブルがある。これら必要運転時間設定テーブルは、浴室内の衣類を温風乾燥のみで乾燥させるために必要な温風必要運転時間Ｔｈ、および同衣類を送風乾燥のみで乾燥させるために必要な送風必要運転時間Ｔｃを、脱衣室２内の空気の温度および湿度に対応付けて記憶している。なお、温風乾燥運転とは、循環ファン２１および電気ヒータ２２をオンさせ、浴室内に温風を吹き出させる運転であり、送風乾燥運転とは、循環ファン２１をオンさせ、電気ヒータ２２をオフとし、浴室内の空気を循環させるのみの運転である。これら必要運転時間設定テーブルにおいて、破線より上側が送風必要運転時間Ｔｃのデータ、破線より下側が温風必要運転時間Ｔｈのデータである。
【００１９】
ＣＰＵ４１は、主要な機能として次の（１）〜（５）の手段を有する。  
（１）リモコン５０で設定される衣類乾燥運転の運転時間Ｔｘ内で、初めに循環ファン２１および電気ヒータ２２の動作による温風乾燥を予め固定の一定時間Ｔ１行い、次に循環ファン２１の動作のみによる送風乾燥を所定時間Ｔ３行い、最後に循環ファン２１および電気ヒータ２２の動作による温風乾燥を所定時間Ｔ２行う第１制御手段。
【００２０】
（２）温湿度検出部５５で検出される温度および湿度に応じて、浴室１内の衣類を上記温風乾燥のみで乾燥させるために必要な温風必要運転時間Ｔｈ、および同衣類を上記送風乾燥のみで乾燥させるために必要な送風必要運転時間Ｔｃを求める第２制御手段。具体的には、衣類乾燥運転の実行中、リモコン５０で設定される重量と温湿度検出部５５で検出される温度および湿度に応じて、温風必要運転時間Ｔｈおよび送風必要運転時間Ｔｃをメモリ４２から逐次に読出す。
【００２１】
（３）第１制御手段による送風乾燥の所定時間Ｔ３および温風乾燥の所定時間Ｔ２を、リモコン５０で設定される運転時間Ｔｘ、第１制御手段による温風乾燥の一定時間Ｔ１、および第２制御手段で求められる温風必要運転時間Ｔｈと送風必要運転時間Ｔｃの関係に基づき、かつ温風乾燥の所定時間Ｔ２が必要最小限となる条件で設定する第３制御手段。具体的には、衣類乾燥運転の実行中、送風乾燥の所定時間Ｔ３および温風乾燥の所定時間Ｔ２を、リモコン５０で設定される運転時間Ｔｘ、温風乾燥の一定時間Ｔ１、および温風必要運転時間Ｔｈと送風必要運転時間Ｔｃの関係を表わす“Ｔｘ＝Ｔ１＋Ｔ３＋Ｔ２”および“Ｔ３＝（Ｔｈ−Ｔ１−Ｔ２）×（Ｔｃ／Ｔｈ）”を用いて温風乾燥の所定時間Ｔ２が必要最小限となる値を設定する。
【００２２】
（４）リモコン５０で設定される運転時間Ｔｘが、温風必要運転時間Ｔｈ未満のとき、温風乾燥の所定時間Ｔ２が、その温風必要運転時間Ｔｈから温風乾燥の一定時間Ｔ１を減算した時間となるように、リモコン５０で設定される運転時間Ｔｘを変更する第４制御手段。
【００２３】
（５）第４制御手段による運転時間Ｔｘの変更をリモコン５０の発光ダイオード５１ａにより報知する報知手段。
【００２４】
つぎに、図７のタイムチャートおよび図８のフローチャートを参照しながら、作用を説明する。  
ユーザは、乾燥させたい衣類を浴室１の吊下げ棒５に吊るして扉３を閉め、吊るした衣類のおおよその重量をリモコン５０で設定する。この場合、リモコン５０の衣類重量釦５４が押圧されるごとに、衣類重量２kg・３kg・５kgが表示部５１で順次に切替表示される。ユーザは、おおよその重量が２kgであれば、表示部５１で２kgが表示されるまで衣類重量釦５４の押圧を繰り返す。続いて、アップ釦５６ａまたはダウン釦５６ｂの操作により任意の運転時間Ｔｘを設定し、乾燥釦５７を押圧する。これらの操作により、衣類乾燥運転が設定される（ステップ１０１のＹＥＳ）。
【００２５】
この衣類乾燥運転の設定に伴い（ステップ１０１のＹＥＳ）、リモコン５０の温湿度検出部５５で検出される温度および湿度が取り込まれ（ステップ１０２）、取り込まれた温湿度および上記設定された重量に対応する温風必要運転時間Ｔｈおよび送風必要運転時間Ｔｃがメモリ４２から読出される（ステップ１０３）。
【００２６】
そして、上記設定された運転時間Ｔｘが上記読出された温風必要運転時間Ｔｈ以上であれば（ステップ１０４のＮＯ）、衣類乾燥運転における送風乾燥の所定時間Ｔ３および温風乾燥の所定時間Ｔ２が、運転時間Ｔｘ、温風乾燥の一定時間Ｔ１、および温風必要運転時間Ｔｈと送風必要運転時間Ｔｃの関係を表わす“Ｔｘ＝Ｔ１＋Ｔ３＋Ｔ２”および“Ｔ３＝（Ｔｈ−Ｔ１−Ｔ２）×（Ｔｃ／Ｔｈ）”を用いて温風乾燥の所定時間Ｔ２を算出することで、必要最小限の温風乾燥の所定時間Ｔ２が算出され、この値が設定される（ステップ１０５）。
【００２７】
例えば、設定重量が２kg、検出温度が１２℃、検出湿度が５０％の場合、設定重量２kgに対応する図４の必要運転時間設定テーブルが参照され、検出温度１２℃と検出湿度５０％に対応する送風必要運転時間Ｔｃ＝9.5時間および温風必要運転時間Ｔｈ＝2.0時間が読出される。
【００２８】
そして、運転時間Ｔｘとして7.0時間が設定され、かつ温風乾燥の一定時間Ｔ１が0.5時間であれば、“Ｔｘ＝Ｔ１＋Ｔ３＋Ｔ２＝0.5＋Ｔ３＋Ｔ２”となり、Ｔ３，Ｔ２を求める“Ｔ３＋Ｔ２＝7.0−0.5＝6.5”が得られる。
【００２９】
これをＴ３の換算式“Ｔ３＝（Ｔｈ−Ｔ１−Ｔ２）×（Ｔｃ／Ｔｈ）”に基づき且つＴ２が必要最小限の値となる条件で求めると、Ｔ３＝6.3333・・時間、Ｔ２＝0.166・・時間を求めることができる。この算出結果では、割り切れないため、実際には、確実に乾燥させるため、温風暖房時間側を切り上げてＴ２＝0.17時間とし、Ｔ３＝6.33時間とする。
【００３０】
なお、設定重量が３kg、検出温度が１６℃、検出湿度が５８％であれば、設定重量３kgに対応する図５の必要運転時間設定テーブルが参照され、検出温度１６℃と検出湿度５８％に対応する送風必要運転時間Ｔｃ＝9.60時間および温風必要運転時間Ｔｈ＝2.22時間が読出される。同様に、設定重量が５kg、検出温度が１８℃、検出湿度が６２％であれば、設定重量５kgに対応する図６の必要運転時間設定テーブルが参照され、検出温度１８℃と検出湿度６２％に対応する送風必要運転時間Ｔｃ＝16.96時間および温風必要運転時間Ｔｈ＝3.20時間が読出される。
【００３１】
上記ステップ１０４の判定において、運転時間Ｔｘが温風必要運転時間Ｔｈ未満であれば（ステップ１０４のＹＥＳ）、設定された運転時間では衣類は乾燥できないため、温風乾燥の所定時間Ｔ２が、温風必要運転時間Ｔｈから温風乾燥の一定時間Ｔ１を減じた時間（＝Ｔｈ−Ｔ１）に設定されるとともに、送風乾燥の所定時間Ｔ３が予め定められた値、たとえば１分に設定される（ステップ１０６）。これにより、運転時間Ｔｘ（＝Ｔ１＋Ｔ３＋Ｔ２）が変更される。この結果、衣類は確実に乾燥させることができる。そして、変更された運転時間Ｔｘはリモコン５０の表示部５１で表示されるとともに、その変更の旨が発光ダイオード５１ａの点灯によりユーザに報知される（ステップ１０７）。
【００３２】
運転が開始されると、循環ファン２１が動作オンして浴室１内の空気が循環するとともに、その循環空気が電気ヒータ２２の動作オンによる発熱によって加熱され、かつタイマ４３によるタイムカウントｔａが開始される（ステップ１０８）。このタイムカウントｔａが一定時間Ｔ１に満たないうちは（ステップ１０９のＮＯ）、空気の循環と加熱による温風乾燥が継続される。
【００３３】
タイムカウントｔａが一定時間Ｔ１に達すると（ステップ１０９のＹＥＳ）、電気ヒータ２２が動作オフされる（ステップ１１０）。これにより、温風乾燥が終了し、循環ファン２１の動作のみによる送風乾燥に移行となる。この移行に伴い、タイマ４３のタイムカウントｔａと“一定時間Ｔ１＋所定時間Ｔ３”の値とが比較される（ステップ１１１）。
【００３４】
タイムカウントｔａが“一定時間Ｔ１＋所定時間Ｔ３”に達すると（ステップ１１１のＹＥＳ）、再び電気ヒータ２２が動作オンされて加熱が開始される（ステップ１１２）。すなわち、送風乾燥が終了し、温風乾燥に移行する。この移行に伴い、タイマ４３のタイムカウントｔａと“一定時間Ｔ１＋所定時間Ｔ３＋所定時間Ｔ２”とが比較される（ステップ１１３）。
【００３５】
タイムカウントｔａが“一定時間Ｔ１＋所定時間Ｔ３＋所定時間Ｔ２”に達すると（ステップ１１３のＹＥＳ）、循環ファン２１および電気ヒータ２２の動作がオフされ、タイムカウントｔａがクリアされる（ステップ１１４）。
【００３６】
こうして、運転時間Ｔｘにおいて、初めに循環ファン２１および電気ヒータ２２の動作による温風乾燥を一定時間Ｔ１行い、次に循環ファン２１の動作のみによる送風乾燥を所定時間Ｔ３行い、最後に循環ファン２１および電気ヒータ２２の動作による温風乾燥を所定時間Ｔ２行う衣類乾燥運転が実行される。この衣類乾燥運転により、浴室１内の衣類が乾燥される。
【００３７】
ところで、タイムカウントｔａが“一定時間Ｔ１＋所定時間Ｔ３”未満で（ステップ１１１のＮＯ）、循環ファン２１の動作のみによる送風乾燥が行われているとき、リモコン５０の温湿度検出部５５で検出される温度および湿度が取り込まれ（ステップ１１５）、取り込まれた温湿度および上記設定重量に対応する温風必要運転時間Ｔｈおよび送風必要運転時間Ｔｃがメモリ４２から読出される（ステップ１１６）。
【００３８】
設定されている運転時間Ｔｘ（最初に設定された運転時間Ｔｘまたは変更設定された運転時間Ｔｘ）が、上記読出された温風必要運転時間Ｔｈ未満であれば（ステップ１１７のＹＥＳ）、現時点までの送風乾燥の実行時間Ｔ３´（＝ｔａ−Ｔ１）および現時点の温湿度条件に見合う温風乾燥の所定時間Ｔ２´を当て嵌めた関係式“Ｔｘ＝Ｔ１＋Ｔ３´＋Ｔ２´”および換算式“Ｔ３´＝（Ｔｈ−Ｔ１−Ｔ２´）×（Ｔｃ／Ｔｈ）”に基づき、温風乾燥の所定時間Ｔ２´が求められる（ステップ１１８）。
【００３９】
所定時間Ｔ２´が前回求められた所定時間Ｔ２と同じであれば（ステップ１１９のＹＥＳ）、タイムカウントｔａと“一定時間Ｔ１＋所定時間Ｔ３”との比較が継続される（ステップ１１１）。
【００４０】
所定時間Ｔ２´が前回求められた所定時間Ｔ２と同じでない場合（ステップ１１９のＮＯ）、残り運転時間“Ｔｘ−ｔａ”と所定時間Ｔ２´とが比較される（ステップ１２０）。
【００４１】
残り運転時間“Ｔｘ−ｔａ”が所定時間Ｔ２´未満であれば（ステップ１２０のＹＥＳ）、送風乾燥の所定時間Ｔ３が現時点のタイムカウントｔａから一定時間Ｔ１を減じた時間（＝ｔａ−Ｔ１）に更新設定されるとともに、所定時間Ｔ２´が温風乾燥の所定時間Ｔ２として更新設定される（ステップ１２１）。その結果、運転時間Ｔｘが“Ｔ１＋Ｔ３＋Ｔ２´”に変更となる。変更された運転時間Ｔｘはリモコン５０の表示部５１で表示されるとともに、その変更の旨が発光ダイオード５１ａの点灯によりユーザに報知される（ステップ１２２）。
【００４２】
この報知に続き、電気ヒータ２２が再び動作オンされて温風乾燥に移行する（ステップ１１２）。この移行に伴い、タイマ４３のタイムカウントｔａと“一定時間Ｔ１＋所定時間Ｔ３＋所定時間Ｔ２”とが比較される（ステップ１１３）。タイムカウントｔａが“一定時間Ｔ１＋所定時間Ｔ３＋所定時間Ｔ２”に達すると（ステップ１１３のＹＥＳ）、循環ファン２１および電気ヒータ２２の動作がオフされ、タイムカウントｔａがクリアされる（ステップ１１４）。
【００４３】
一方、上記ステップ１２０の判定において、残り運転時間“Ｔｘ−ｔａ”が所定時間Ｔ２´以上の場合（ステップ１２０のＮＯ）、送風乾燥の所定時間Ｔ３が“Ｔｘ−Ｔ１−Ｔ２´”に更新設定されるとともに、所定時間Ｔ２´が温風乾燥の所定時間Ｔ２として更新設定される（ステップ１２３）。そして、タイムカウントｔａと“一定時間Ｔ１＋所定時間Ｔ３”との比較が継続される（ステップ１１１）。
【００４４】
また、上記ステップ１１７の比較において、運転時間Ｔｘ（最初に設定された運転時間Ｔｘまたは変更設定された運転時間Ｔｘ）が温風必要運転時間Ｔｈ以上であれば（ステップ１１７のＮＯ）、現時点までの送風乾燥の実行時間Ｔ３´（＝ｔａ−Ｔ１）および現時点の温湿度条件に見合う温風乾燥の所定時間Ｔ２´を当て嵌めた関係式“Ｔｘ＝Ｔ１＋Ｔ３´＋Ｔ２´”および換算式“Ｔ３´＝（Ｔｈ−Ｔ１−Ｔ２´）×（Ｔｃ／Ｔｈ）”に基づいて温風乾燥の所定時間Ｔ２´が求められ、その所定時間Ｔ２´が温風乾燥の所定時間Ｔ２として更新設定されるとともに、送風乾燥の所定時間Ｔ３が現時点のタイムカウントｔａから一定時間Ｔ１を減じた時間（＝ｔａ−Ｔ１）に更新設定される（ステップ１２４）。その結果、運転時間Ｔｘが“Ｔ１＋Ｔ３＋Ｔ２´”に変更となる。変更された運転時間Ｔｘはリモコン５０の表示部５１で表示されるとともに、その変更の旨が発光ダイオード５１ａの点灯によりユーザに報知される（ステップ１２２）。
【００４５】
この報知に続き、電気ヒータ２２が再び動作オンされて温風乾燥に移行する（ステップ１１２）。この移行に伴い、タイマ４３のタイムカウントｔａと“一定時間Ｔ１＋所定時間Ｔ３＋所定時間Ｔ２”とが比較される（ステップ１１３）。タイムカウントｔａが“一定時間Ｔ１＋所定時間Ｔ３＋所定時間Ｔ２”に達すると（ステップ１１３のＹＥＳ）、循環ファン２１および電気ヒータ２２の動作がオフされ、タイムカウントｔａがクリアされる（ステップ１１４）。
【００４６】
以上のように、設定される運転時間Ｔｘ内で、初めに一定時間Ｔ１の温風乾燥を行い、次に所定時間Ｔ３の送風乾燥を行い、最後に所定時間Ｔ２の温風乾燥を行うことにより、電力の消費が大きくなる電気ヒータ２２の動作をできるだけ少なくしながら、これにより消費電力の低減を図りながら、浴室１内の衣類を確実に乾燥させることができる。衣類が十分に乾燥しているのに電気ヒータ２２が動作するといった無駄な乾燥運転を解消し、省エネルギー効果が得られる。しかも、最後の温風乾燥を行うことで、衣類の仕上がりがふっくらとなり、良好な仕上がり感を得ることができる。
【００４７】
とくに、浴室１に隣接する脱衣室２の空気温度および空気湿度に応じた温風必要運転時間Ｔｈおよび送風必要運転時間Ｔｃを求め、ユーザ設定される運転時間Ｔｘの中でこれら求めた温風必要運転時間Ｔｈおよび送風必要運転時間Ｔｃに基づき送風乾燥の所定時間Ｔ３および必要最小限の温風乾燥の所定時間Ｔ２を設定するので、温湿度に合わせた必要十分な乾燥効果が得られる。
【００４８】
また、送風乾燥の所定時間Ｔ３および最後の温風乾燥の所定時間Ｔ２を設定するための要件として、温湿度だけでなく、ユーザ設定される衣類重量を加えるので、衣類の量も考慮した必要十分な乾燥効果が得られる。
【００４９】
さらに、送風乾燥の所定時間Ｔ３および最後の温風乾燥の所定時間Ｔ２については、運転開始時だけでなく、送風乾燥を行っている最中に逐次に更新設定するので、温湿度の変化に合わせた効率的な衣類乾燥が可能である。
【００５０】
しかも、ユーザ設定される運転時間Ｔｘが温風必要運転時間Ｔｈより短い場合は、その運転時間Ｔｘを最適な値へと自動的に変更するので、ユーザ設定に間違いがあっても、あるいは操作に不慣れなユーザであっても、衣類乾燥を確実に行うことができる。
【００５１】
［２］第２の実施形態  
図３に破線で示すように、制御部４０のＣＰＵ４１に温湿度検出部（第２検出手段）７０が接続される。温湿度検出部７０は、図１には示していないが、循環ユニット２０の循環ファン２１の吸込み風路に設けられ、浴室１内の空気の温度および湿度を検出する。
【００５２】
そして、制御部４０のＣＰＵ４１は、第１実施形態の（１）〜（５）の手段のうち、（２）の第２制御手段に換わり、次の（１２）の第２制御手段を有する。  
（１２）衣類乾燥運転の最初の温風乾燥が開始されてから所定時間Ｔａ（＜Ｔ１）後、温湿度検出部７０で検出される温度と同検出される湿度の変化速度に対応する衣類乾燥指数をメモリ４２内の衣類乾燥指数テーブルから読出し、読出した衣類乾燥指数に応じて、浴室１内の衣類を温風乾燥で乾燥させるために必要な温風必要運転時間Ｔｈ、および同衣類を送風乾燥で乾燥させるために必要な送風必要運転時間Ｔｃを求める第２制御手段。
【００５３】
作用を説明する。  
ユーザは、乾燥させたい衣類を浴室１の吊下げ棒５に吊るして扉３を閉め、アップ釦５６ａまたはダウン釦５６ｂの操作により任意の運転時間Ｔｘを設定するとともに、乾燥釦５７を押圧する。この操作により、衣類乾燥運転が開始される。
【００５４】
衣類乾燥運転の最初の温風乾燥が開始されると、図９に示すように、浴室１内の空気の湿度が一旦上昇してから下降へと変化していく。この下降時の湿度の変化速度（変化の傾き）は、衣類の素材や浴室１の大きさなどにもよるが、基本的には、浴室１内の衣類の重量が多いほど遅く、重量が少ないほど速い。
【００５５】
一定時間Ｔ１の温風乾燥が開始されてから所定時間Ｔａ（＜Ｔ１）後、浴室１内の空気の温度および湿度が温湿度検出部７０で検出され、検出された温度と同検出された湿度の変化速度に対応する衣類乾燥指数がメモリ４２内の衣類乾燥指数テーブルから読出される。湿度の変化速度として、湿度が一旦上昇してから下降していくときの単位時間当たりの湿度の変化量が検出される。
【００５６】
衣類乾燥指数テーブルは、図１０に示すように、乾燥の速さの指標となる衣類乾燥指数Ａ〜Ｉを、“温度１０℃以下”“温度１１℃〜２０℃”“温度２１℃以上”と、“湿度変化速度Ｘａ以下”“湿度変化速度Ｘｂ〜Ｘｎ”“湿度変化速度Ｘｏ以上”に対応付けて記憶している。湿度変化速度は、Ｘａ側が遅く、Ｘｏ側が速い。衣類乾燥指数Ａ〜Ｉのうち、Ｉが最も乾燥速度が速く、Ａが最も乾燥速度が遅い。
【００５７】
例えば、温度が１５℃、湿度の変化速度がＸｂの場合、衣類乾燥指数Ｅが読出される。温度が２１℃以上、湿度の変化速度がＸｏ以上の場合、衣類乾燥指数Ｉが読出される。
【００５８】
そして、読出される衣類乾燥指数が図４、図５、図６の必要運転時間設定テーブルの衣類重量および温湿度に置き換えられる形で、温風必要運転時間Ｔｈおよび送風必要運転時間Ｔｃが求められ、この温風必要運転時間Ｔｈおよび送風必要運転時間Ｔｃに基づいて送風乾燥の所定時間Ｔ３および温風乾燥の所定時間Ｔ２が設定される。
【００５９】
こうして、一定時間Ｔ１の温風乾燥に続き、所定時間Ｔ３の送風乾燥および所定時間Ｔ２の温風乾燥が行われる。
【００６０】
このように、浴室１内の温度と湿度変化速度に対応する衣類乾燥指数を求め、その衣類乾燥指数に基づいて送風乾燥の所定時間Ｔ３および温風乾燥の所定時間Ｔ２を設定することにより、衣類重量のユーザ設定が不要となる。よって、ユーザに負担をかけることなく、また電力を無駄に消費することなく省エネルギー性にすぐれた衣類乾燥が可能となる。しかも、温湿度に合わせた必要十分な乾燥効果を得ることができ、衣類乾燥としての高い信頼性を確保できる。  
他の構成、作用、効果は第１の実施形態と同じである。よって、その説明は省略する。
【００６１】
［３］第３の実施形態  
第３の実施形態では、第２の実施形態のＣＰＵ４１が、（１２）の第２制御手段に換わり、次の（２２）の第２制御手段を有する。  
（２２）衣類乾燥運転の最初の温風乾燥が開始されてから所定時間Ｔａ（＜Ｔ１）後、温湿度検出部７０で検出される温度と湿度およびその湿度の変化速度に対応する衣類乾燥指数をメモリ４２内の衣類乾燥指数テーブルから読出し、読出した衣類乾燥指数に応じて、浴室１内の衣類を温風乾燥で乾燥させるために必要な温風必要運転時間Ｔｈ、および同衣類を送風乾燥で乾燥させるために必要な送風必要運転時間Ｔｃを求める第２制御手段。
【００６２】
作用について説明する。  
一定時間Ｔ１の温風乾燥が開始されてから所定時間Ｔａ（＜Ｔ１）後、浴室１内の空気の温度および湿度が温湿度検出部７０で検出され、検出された温度と湿度およびその湿度の変化速度に対応する衣類乾燥指数がメモリ４２内の衣類乾燥指数テーブルから読出される。
【００６３】
衣類乾燥指数テーブルは、図１１に示すように、乾燥の速さの指標となる衣類乾燥指数ＡＡ〜ＤＩを温湿度と湿度変化速度に対応付けて記憶している。衣類乾燥指数ＡＡ〜ＤＩのうち、ＡＩが最も乾燥速度が速く、ＤＡが最も乾燥速度が遅い。
【００６４】
例えば、湿度が７０％、温度が１５℃、湿度の変化速度がＸｂであれば、衣類乾燥指数ＣＥが読出される。湿度が５０％、温度が２１℃以上、湿度の変化速度がＸｏ以上であれば、衣類乾燥指数ＢＩが読出される。
【００６５】
そして、読出された衣類乾燥指数に基づき、温風必要運転時間Ｔｈおよび送風必要運転時間Ｔｃが求められ、この温風必要運転時間Ｔｈおよび送風必要運転時間Ｔｃに基づいて送風乾燥の所定時間Ｔ３および温風乾燥の所定時間Ｔ２が設定される。  
他の構成、作用、効果は第２の実施形態と同じである。よって、その説明は省略する。
【００６６】
［４］第４の実施形態  
第４の実施形態では、第２の実施形態のＣＰＵ４１が、（１２）の第２制御手段に換わり、次の（３２）の第２制御手段を有する。  
（３２）衣類乾燥運転の最初の温風乾燥が開始されてから所定時間Ｔａ（＜Ｔ１）後、リモコン５０の温度検出部５５で検出される温度と湿度からリモコン５０の付近の比エンタルピーｘを算出するとともに、温湿度検出部７０で検出される温度と湿度からその温湿度検出部７０の近傍の絶対湿度ｙを算出し、これら比エンタルピーｘおよび絶対湿度ｙに対応する衣類乾燥指数を求め、この衣類乾燥指数に応じて、浴室１内の衣類を温風乾燥で乾燥させるために必要な温風必要運転時間Ｔｈ、および同衣類を送風乾燥で乾燥させるために必要な送風必要運転時間Ｔｃを求める第２制御手段。
【００６７】
作用について説明する。  
一定時間Ｔ１の温風乾燥が開始されてから所定時間Ｔａ（＜Ｔ１）後、脱衣室２内の空気の温度および湿度がリモコン５０の温度検出部５５で検出され、検出された温度と湿度からリモコン５０の付近の比エンタルピーｘが算出される。また、浴室１内の空気の温度および湿度が温湿度検出部７０で検出され、検出された温度と湿度から温湿度検出部７０の近傍の絶対湿度ｙが算出される。そして、これら比エンタルピーｘおよび絶対湿度ｙに対応する衣類乾燥指数が選定される。
【００６８】
図１２に示す比エンタルピーｘと絶対湿度ｙとの関係が衣類乾燥指数選定条件としてメモリ４２に記憶されており、この衣類乾燥指数選定条件が上記算出される比エンタルピーｘおよび絶対湿度ｙに基づいて参照されることにより、衣類乾燥指数が選定される。
【００６９】
すなわち、絶対湿度ｙが“2.72ｅ−04ｘ＋3.95ｅ−03”未満のとき、衣類乾燥指数Ａが選定される。絶対湿度ｙが“2.72ｅ−04ｘ＋3.95ｅ−03”以上“2.91ｅ−04ｘ＋4.00ｅ−03”未満のとき、衣類乾燥指数Ｂが選定される。絶対湿度ｙが“2.91ｅ−04ｘ＋4.00ｅ−03”以上“2.87ｅ−04ｘ＋4.69ｅ−03”未満のとき、衣類乾燥指数Ｃが選定される。絶対湿度ｙが“2.87ｅ−04ｘ＋4.69ｅ−03”以上のとき、衣類乾燥指数Ｄが選定される。これら衣類乾燥指数Ａ〜Ｄのうち、Ａが最も乾燥速度が速く、Ｄが最も乾燥速度が遅い。
【００７０】
こうして選定される衣類乾燥指数に基づき、温風必要運転時間Ｔｈおよび送風必要運転時間Ｔｃが求められ、この温風必要運転時間Ｔｈおよび送風必要運転時間Ｔｃに基づいて送風乾燥の所定時間Ｔ３および温風乾燥の所定時間Ｔ２が設定される。  
他の構成、作用、効果は第２の実施形態と同じである。よって、その説明は省略する。
【００７１】
［５］変形例  
第１の実施形態では、衣類重量として２kg,３kg,５kgのいずれかを選択的に設定する構成としたが、衣類重量の設定値およびその個数について限定はなく、循環ユニット２０の循環能力や加熱能力に応じて適宜に選択可能である。また、温湿度検出部５５をリモコン５０が有する構成としたが、リモコン５０以外の例えば脱衣室２の天井面や壁面などに温湿度検出部５５を取り付ける構成としてもよい。その他、この発明は、上記各実施形態そのままに限定されるものではなく、実施段階ではその要旨を逸脱しない範囲で構成要素を変形して具体化できる。また、上記各実施形態に開示されている複数の構成要素の適宜な組み合わせにより種々の発明を形成できる。例えば、各実施形態に示される全構成要素から幾つかの構成要素を削除してもよい。更に、互いに異なる実施形態の構成要素を適宜組み合わせてもよい。
【符号の説明】
【００７２】
１…浴室、２…脱衣室、３…扉、４…浴槽、５…吊るし棒、１０…浴室換気乾燥機、１１，１３…通気パネル、２０…循環ユニット、２１…循環ファン、２２…電気ヒータ、３０…換気ユニット、３１…換気ファン、４０…制御部、４１…ＣＰＵ、４２…メモリ、４３…タイマ、５０…リモコン、５１…表示部、５５…温湿度検出部
【図１】
2011000228.tif 000003
【図２】
2011000228.tif 000004
【図３】
2011000228.tif 000005
【図４】
2011000228.tif 000006
【図５】
2011000228.tif 000007
【図６】
2011000228.tif 000008
【図７】
2011000228.tif 000009
【図８】
2011000228.tif 000010
【図９】
2011000228.tif 000011
【図１０】
2011000228.tif 000012
【図１１】
2011000228.tif 000013
【図１２】
2011000228.tif 000014